(57)【要約】【課題】ＯＴＧ規格に対応して相互に接続した複数の機器のうち、いずれがホストかペリフェラルかを視覚的に判別できるようにした電子機器を提供する。【解決手段】ホスト側の機器に接続する第１のプラグＣａとペリフェラル側の機器に接続する第２のプラグＣｂとを備えた通信ケーブルＣの、いずれのプラグＣａ、Ｃｂにも接続可能な接続端子Ｔを備え、接続されたプラグに応じてホスト側の機能とペリフェラル側の機能のいずれかを実行する電子機器Ｆであって、第１のプラグＣａまたは第２のプラグＣｂのいずれに接続されているかを判別する手段１と、判別手段１が判別した結果を報知する手段１３とを備えている。【選択図】図１
2006059209.tif 000002
【特許請求の範囲】
【請求項１】
ホスト側の機器に接続する第１のプラグとペリフェラル側の機器に接続する第２のプラグとを備えた通信ケーブルの、上記いずれのプラグにも接続可能な接続端子を備え、接続されたプラグに応じてホスト側の機能とペリフェラル側の機能のいずれかを実行する電子機器において、
上記第１のプラグまたは上記第２のプラグのいずれに接続されているかを判別する手段と、上記判別手段が判別した結果を報知する手段とを備えている電子機器。
【請求項２】
請求項１において、
上記報知手段は、発光素子で構成され、上記判別手段の判別した結果に応じて、態様を異ならせて発光することを特徴とする電子機器。
【請求項３】
請求項１において、
上記電子機器は画像形成装置であり、上記判別手段の判別した結果を画像形成装置本体の表示部に表示することを特徴とする電子機器。
【発明の詳細な説明】
【技術分野】
【０００１】
本発明は、ホスト／ペリフェラル機器接続用の両プラグを備えた通信ケーブルのいずれのプラグにも接続可能な電子機器の改良に関するものである。
【背景技術】
【０００２】
近年、パソコンと周辺機器とを接続するためのインターフェースとして、ＵＳＢ（Ｕｎｉｖｅｒｓａｌ  Ｓｅｒｉａｌ  Ｂｕｓ）規格のものが普及している。
【０００３】
このＵＳＢ規格では必ずホストが必要であり、例えばデジタルカメラ同士など周辺機器間ではＵＳＢ規格のデータ転送を行うことができなかったが、ＵＳＢ２．０規格の追加規格としてＯＴＧ（Ｏｎ−Ｔｈｅ−Ｇｏ）規格が策定され、周辺機器間でもデータ転送を行うことができるようになった。
【０００４】
このＯＴＧ規格では、ＵＳＢケーブルがホスト機器接続用のプラグとペリフェラル機器接続用のプラグを備え、機器をホスト用のプラグに接続すればホストとして動作し、ペリフェラル用のプラグに接続すればペリフェラルとして動作するようになっている。もちろん、このような電子機器が、上記両プラグのいずれにも接続可能なコネクタと、コントローラとを備えているデュアルロールデバイスであることはいうまでもない。
【０００５】
ＯＴＧ機能によれば、ペリフェラル機器に、ホストとして動作するために必要なホスト機能を持たせることができる。これによって、従来のＵＳＢ規格におけるデバイスだった周辺機器同士を相互に接続することができ、従来のＵＳＢ規格におけるホストを介することなく、周辺機器間でデータ転送を行うことができるようになってきた。
【０００６】
次の特許文献には、ＯＴＧ規格の周辺機器同士のデータ転送を行うデータ転送制御装置の例が記載されている。
【特許文献１】特開２００４−０９４９１４号公報
【発明の開示】
【発明が解決しようとする課題】
【０００７】
ところが、ＯＴＧ規格にもとづいて機器間を接続する場合、パソコンと接続することなく周辺機器同士を接続することが可能となったため、いずれの機器がホストかペリフェラルかを視覚的に判断することが困難な場合がある。特に、デジタルカメラ同士など同種の機器間の接続の場合、特に判別がしづらい。
【０００８】
本発明は、このような問題を解決すべく提案されたもので、その目的は、ＯＴＧ規格に対応して相互に接続した複数の機器のうち、いずれがホストかペリフェラルかを視覚的に判別できるようにした電子機器を提供することにある。
【課題を解決するための手段】
【０００９】
上記目的を達成するために、請求項１に記載の電子機器は、ホスト側の機器に接続する第１のプラグとペリフェラル側の機器に接続する第２のプラグとを備えた通信ケーブルの、上記いずれのプラグにも接続可能な接続端子を備え、接続されたプラグに応じてホスト側の機能とペリフェラル側の機能のいずれかを実行する電子機器であって、第１のプラグまたは第２のプラグのいずれに接続されているかを判別する手段と、判別手段が判別した結果を報知する手段とを備えていることを特徴としている。
【００１０】
請求項２では、請求項１において、報知手段は発光素子で構成され、判別手段の判別した結果に応じて、態様を異ならせて発光することを特徴としている。
【００１１】
請求項３に記載の電子機器は画像形成装置であり、判別手段の判別した結果を画像形成装置本体の表示部に表示することを特徴としている。
【発明の効果】
【００１２】
請求項１に記載の電子機器によれば、機器が通信ケーブルのホスト用の第１のプラグまたはペリフェラル用の第２のプラグのいずれに接続されているかを判別する手段と、判別手段が判別した結果を報知する手段とを備えているので、利用者は、その機器がホストかペリフェラルかをひと目で判別することができる。
【００１３】
請求項２によれば、報知手段が発光素子で構成され、判別結果に応じて発光態様を異ならせているため、ホストかペリフェラルかを視覚的に判別することが可能な電子機器を、簡易な回路構成で実現することができる。
【００１４】
請求項３に記載の電子機器はＯＴＧ規格に対応した画像形成装置であり、判別した結果を画像形成装置が有する表示部に表示するようにしているので、報知手段として発光素子などの他の電子部品を備える必要がない。
【発明を実施するための最良の形態】
【００１５】
以下に、本発明の実施形態について、添付図面とともに説明する。以下の実施例では電子機器としてファクシミリ複合機を示しているが、これに限定されることはなく、ＯＴＧ機能を搭載し、ＵＳＢケーブルを介して他の機器と接続したときにホスト／ペリフェラルのいずれにもなり得る電子機器であればよい。
【実施例１】
【００１６】
図１は、複合機の内部構成を示すブロック図である。
【００１７】
この複合機Ｆは、以下の各部を制御する制御手段を形成するＭＰＵ１と、ＮＣＵ２と、モデム３と、スキャナ部４と、ＣＯＤＥＣ５と、プリンタ部６と、表示部７と、ＲＯＭ８と、ＲＡＭ９と、画像メモリ１０と、ＵＳＢコントローラ１１と、操作部１２とを備えている。
【００１８】
この複合機ＦはＵＳＢ２．０の追加規格であるＯＴＧ規格に対応しており、ＵＳＢケーブルＣの接続の仕方によっては、ホストにもペリフェラルにもなるような構成となっている。この複合機Ｆは、相手の機器と接続するために、ＯＴＧ規格に対応したＵＳＢケーブルＣに接続可能な接続端子であるミニＡＢレセプタクルＴを設けている。一方、ＵＳＢケーブルＣは、図２で後述するミニＡプラグＣａとミニＢプラグＣｂとを有しており、それぞれのプラグＣａ、Ｃｂに接続した２つのデュアルロールデバイスは、一方がホストに他方がペリフェラルとなって、両者の間でデータ転送ができるようになっている。
【００１９】
図２は、ＯＴＧ規格に対応したＵＳＢケーブルの説明図である。（ａ）はＵＳＢケーブルＣの模式図、（ｂ）、（Ｃ）はＵＳＢケーブルＣが有するミニＡプラグ（第１のプラグ）、ミニＢプラグ（第２のプラグ）の模式図である。
【００２０】
ＵＳＢケーブルＣは、ホスト機器に接続するミニＡプラグＣａと、ペリフェラル機器に接続するミニＢプラグとを備えている。これらのプラグのそれぞれには、Ｖバス（電源）端子、平衡型の転送信号に対するＤ＋端子、Ｄ−端子、グランドに対するＧＮＤ端子を有しているほか、ＩＤ端子が定義されている。そして、ミニＡプラグＣａではＩＤ端子がＧＮＤに接続され、ミニＢプラグＣｂではＩＤ端子がオープン状態となっている。
【００２１】
図１に説明した複合機Ｆでは、ＭＰＵ１がホスト／ペリフェラルの判別手段を構成しており、ミニＡＢレセプタクルＴにＵＳＢケーブルＣのミニＡプラグＣａまたはミニＢプラグＣｂを接続すると、ＩＤ端子と接続される信号線の電圧に応じてＩＤ端子が接地されているか否かを検出することによって、いずれのプラグに接続されたかを判別するようになっている。そして、ミニＡプラグＣａが接続されていれば自身がホストであると判断し、ミニＢプラグＣｂが接続されていれば自身がペリフェラルであると判断する。
【００２２】
このように判別した結果は、２色の発光ダイオード１３ａ、１３ｂにより色分け報知される。図３には、色分けパターン表を示している。なお、１つの発光ダイオードで点滅パターンを変えるなどして識別報知してもよい。
【００２３】
このような構成によれば、利用者は、ＵＳＢケーブルＣに接続された電子機器がホストとして動作しているのか、ペリフェラルとして動作しているのかを視覚的に瞬時に判別することができる。同種の電子機器をＵＳＢケーブルＣで接続しているような場合には、外部からは見分けがつきにくいため、特に有効である。
【００２４】
図４は、ＯＴＧ規格による複合機の接続例を模式的に示したものであり（ａ）は複合機Ｆをペリフェラル側に、パソコンＰＣをホスト側に接続した例であり、（ｂ）は複合機Ｆをホスト側に、外付けハードディスクＨＤをペリフェラル側に接続した例である。
【００２５】
図５は、本発明の基本動作を示したフローチャートである。この例では、ホスト／ペリフェラルの判別報知とともに、ＵＳＢケーブルＣを介して通信中か否かも報知するようにしている。
【００２６】
すなわち、ＵＳＢケーブルＣのミニＡプラグＣａが接続されている場合には、データ通信中であれば赤色発光ダイオード（ＬＥＤ  Ｒ）を点滅させ、通信中でなければ点灯させる動作を実行し（以上、１０１、１０２〜１０５）、また同様に、ミニＢプラグＣｂが接続されている場合には、データ通信中であれば緑色発光ダイオード（ＬＥＤ  Ｇ）を点滅させ、通信中でなければ点灯させる動作を実行する（１０２、１０６〜１０８）。また、ＵＳＢケーブルが接続されていなければ、両方の発光ダイオードを消灯させる（１０９、１１０）。
【００２７】
以上に示した実施例では、ホスト／ペリフェラルの判別結果を２色の発光ダイオードで態様を変えて報知するようにしているが、図５に示すように、複合機Ｆの有するＬＣＤパネル等で構成された表示部７に判別表示するようにしてもよい。表示部７で判別報知する構成にすれば、報知手段として発光ダイオードなどの電子部品を備える必要がない。
【図面の簡単な説明】
【００２８】
【図１】本発明の電子機器の内部構成例を示すブロック図である。
【図２】ＯＴＧ規格に対応したＵＳＢケーブルの説明図である。（ａ）はＵＳＢケーブルＣの模式図、（ｂ）、（Ｃ）はＵＳＢケーブルＣが有するミニＡプラグ、ミニＢプラグの模式図である。
【図３】２色の発光ダイオードによる色分けパターン表である。
【図４】本発明の電子機器の接続２例を模式的に示した図である。
【図５】本発明の電子機器の基本動作を示すフローチャートである。
【図６】報知手段の他例を示す説明図である。
【符号の説明】
【００２９】
Ｆ      複合機
１      判別手段
７      表示部
１１      ＵＳＢコントローラ
１３      報知手段
Ｔ      ミニＡＢレセプタクル（接続端子）
Ｃ      ＵＳＢケーブル
Ｃａ      ミニＡプラグ（第１のプラグ）
Ｃｂ      ミニＢプラグ（第２のプラグ）
【図１】
2006059209.tif 000003
【図２】
2006059209.tif 000004
【図３】
2006059209.tif 000005
【図４】
2006059209.tif 000006
【図５】
2006059209.tif 000007
【図６】
2006059209.tif 000008